(57)【要約】【課題】外部電気回路基板の配線導体に強固に接合することができる信頼性の高いものとするとともに、簡便に作製することができるものとすること。【解決手段】直方体状の絶縁基体１の上面に発光素子３を収容するための凹部４が設けられ、凹部４の底面に発光素子３が搭載される搭載部２および発光素子３の電極が接続される配線層５ａ，５ｂが形成されているとともに、絶縁基体１の４つの角部に上下方向に延びるように形成された切欠き部８ａ〜８ｄに搭載部２または配線層５ａ，５ｂと電気的に接続された側面導体層９ａ，９ｂが形成されているものであって、切欠き部８ａ〜８ｄは、絶縁基体１の一側面にあるものが他側面にあるものよりも幅が大きく形成されている。【選択図】  図１
2004281994.tif 000002
【特許請求の範囲】
【請求項１】
直方体状の絶縁基体の上面に発光素子を収容するための凹部が設けられ、該凹部の底面に発光素子が搭載される搭載部および前記発光素子の電極が接続される配線層が形成されているとともに、前記絶縁基体の４つの角部に上下方向に延びるように形成された切欠き部に前記搭載部または前記配線層と電気的に接続された側面導体層が形成されている発光素子収納用パッケージであって、前記切欠き部は、前記絶縁基体の一側面の両端にあるものが他側面の両端にあるものよりも幅が大きいことを特徴とする発光素子収納用パッケージ。
【請求項２】
請求項１記載の発光素子収納用パッケージと、前記搭載部に搭載されるとともに前記配線層に電気的に接続された発光素子と、該発光素子を覆う透明樹脂とを具備していることを特徴とする発光装置。
【発明の詳細な説明】
【０００１】
【発明の属する技術分野】
本発明は、発光ダイオード等の発光素子を用いた表示装置等に用いられる、発光素子を収納するための発光素子収納用パッケージおよび発光装置に関する。
【０００２】
【従来の技術】
従来、発光ダイオード等の発光素子を収納するための発光素子収納用パッケージ（以下、パッケージともいう）として、セラミック製のパッケージが用いられており、その一例を図１４に示す（例えば、下記の特許文献１参照）。同図に示すように、従来のパッケージは、複数のセラミック層が積層されているとともに上面に凹部２４が形成されている直方体状の絶縁基体の凹部２４の底面の発光素子２３搭載される部位に導体層から成る搭載部２２が設けられた基体２１と、基体２１の搭載部２２およびその周辺から基体２１の下面に形成され、搭載部２２に一方が電気的に接続された一対の配線層２５とから主に構成されている。
【０００３】
そして、搭載部２２上に発光素子２３を導電性接着剤、半田等を介して載置固定するとともに、発光素子２３の電極と一対の配線層２５の他方とをボンディングワイヤ２６を介して電気的に接続し、しかる後、基体２１の凹部２４内に樹脂（透明樹脂）を充填して発光素子２３を封止することによって、発光装置が作製される。
【０００４】
また、凹部２４の内面で発光素子２３の光を反射させてパッケージの上方に光を放射させるために、凹部２４の内面にニッケル（Ｎｉ）めっき層や金（Ａｕ）めっき金属層を表面に有するメタライズ金属層からなる金属層２７を被着させていることもある。
【０００５】
また、上記のパッケージはセラミックグリーンシート積層法により以下のようにして製作される。まず、基体２１の搭載部２２（搭載部２２から下側）を形成するためのセラミックグリーンシート（以下、グリーンシートともいう）と、基体２１の凹部２４を形成するためのグリーンシートとを準備し、これらのグリーンシートに配線層２５を導出させるための貫通孔や凹部２４となる貫通穴を打ち抜き法で形成する。
【０００６】
次に、搭載部２２を形成するためのグリーンシートの積層体Ａの貫通孔および所定の部位にメタライズ層から成る配線層を形成するための導体ペーストをスクリーン印刷法等で印刷塗布し、また凹部２４の内面にメタライズ金属層を被着する場合、凹部２４を形成するためのグリーンシートの積層体Ｂの貫通穴内面にメタライズ金属層形成用の導体ペーストをスクリーン印刷法等で印刷塗布する。
【０００７】
次に、積層体Ａと積層体Ｂとを重ねて接着して基体２１を形成するための積層体とし、これを所定寸法に切断して成形体となし、高温（１６００℃程度）で焼成して焼結体となす。その後、配線層およびメタライズ金属層の露出表面にニッケル，金，パラジウム，白金等の金属から成るめっき金属層を無電解めっき法や電解めっき法により被着させることによって、パッケージが製作される。
【０００８】
このようなパッケージは、その製造工程において、パッケージ１個の形状が非常に小型で取り扱いが困難であることから、取り扱いを容易とするために、また多数の小型のパッケージを同時に効率よく製造するために、グリーンシート上に複数のパッケージが縦横に配列するように貫通孔を形成して導体ペーストを印刷し、これらのグリーンシートを積層した積層体に分割溝を形成し、これを焼結体とする、いわゆる多数個取り用の基板を作製した後、分割溝に沿って分割して個々のパッケージを得るという方法で作製されることが多い。
【０００９】
また、発光装置が携帯電話のバックライト等として用いられる場合、その側面をプリント配線基板の主面に略平行とし、その側面を外部電気回路基板の主面に接合して実装（側面実装）する場合がある。このような側面実装する場合において、外部電気回路基板との接合を強固にするために、絶縁基体２１の側面に配線層２５を形成する必要がある。配線層２５を絶縁基体２１の側面に形成する方法として、絶縁基体２１の側面に配線層２５となる導体ペーストを印刷塗布して形成する方法や、絶縁基体２１の角部に切欠き部を形成してその側面に配線層２５を形成する方法等がある。
【００１０】
【特許文献１】
特開２００２−２３２０１７号公報
【００１１】
【発明が解決しようとする課題】
しかしながら、上記従来のパッケージにおいては、絶縁基体２１の側面に配線層２５となる導体ペーストを印刷塗布して形成する方法は、個々の絶縁基体２１の側面に導体ペーストを印刷塗布するので、工程が煩雑になりやすいという問題点を有していた。
【００１２】
また、絶縁基体２１の角部に円弧状の切欠き部を形成してその側面に配線層２５を形成する方法では、外部電気回路基板との接合強度を向上するために、４つの角部に広領域に切欠き部を形成すると、絶縁基体２１の機械的強度が低下したり、凹部２４の領域が小さくなってしまい、また、絶縁基体２１の機械的強度を向上させたり、凹部２４の搭載領域を確保しようとすると、パッケージが大型化するという問題点を有していた。
【００１３】
従って、本発明は上記従来の問題点に鑑みて完成されたものであり、その目的は、外部電気回路基板の配線導体に強固に接合することができ、信頼性が高いとともに、簡便に作製することができる発光素子収納用パッケージおよび発光装置を提供することにある。
【００１４】
【課題を解決するための手段】
本発明の発光素子収納用パッケージは、直方体状の絶縁基体の上面に発光素子を収容するための凹部が設けられ、該凹部の底面に前記発光素子が搭載される搭載部および前記発光素子の電極が接続される配線層が形成されているとともに、前記絶縁基体の４つの角部に上下方向に延びるように形成された切欠き部に前記搭載部または前記配線層と電気的に接続された側面導体層が形成されている発光素子収納用パッケージであって、前記切欠き部は、前記絶縁基体の一側面の両端にあるものが他側面の両端にあるものよりも幅が大きいことを特徴とする。
【００１５】
本発明の発光素子収納用パッケージによれば、切欠き部は、絶縁基体の一側面の両端にあるものが他側面の両端にあるものよりも幅が大きいことから、絶縁基体の幅の大きい切欠き部を両端に有する一側面を外部電気回路基板の配線導体に載置し、半田等を介して接合することで、幅の大きい切欠き部の側面導体層と外部電気回路基板の配線導体との間に半田等の大きなメニスカスを形成して、半田等による接合面積を大きくでき、外部電気回路基板に強固に接合することができる。
【００１６】
発明の発光装置は、本発明の発光素子収納用パッケージと、前記凹部に収容され搭載されるとともに前記配線層に電気的に接続された発光素子と、該発光素子を覆う透明樹脂とを具備したことを特徴とする。
【００１７】
本発明の発光装置は、上記の構成により、外部電気回路基板の配線導体に強固に接合することができる信頼性の高いものとなる。
【００１８】
【発明の実施の形態】
本発明の発光素子収納用パッケージを以下に詳細に説明する。図１は、本発明のパッケージについて実施の形態の一例を示す正面図であり、図２は図１のＸ１−Ｘ１線における断面図、図３は図１のＸ２−Ｘ２線における断面図であり、これらの図において、１は絶縁基体、２は発光素子３が搭載される搭載部、３は発光素子、４は発光素子３を収容するための凹部である。
【００１９】
本発明のパッケージは、直方体状の絶縁基体１の上面に発光素子３を収容するための凹部４が設けられ、凹部４の底面に発光素子３が搭載される搭載部２および発光素子３の電極が接続される配線層５ａ，５ｂが形成されているとともに、絶縁基体１の４つの角部に上下方向に延びるように形成された切欠き部８ａ〜８ｄに搭載部２または配線層５ａ，５ｂと電気的に接続された側面導体層９ａ，９ｂが形成されているものであって、切欠き部８ａ〜８ｄは、絶縁基体１の一側面の両端にあるものが他側面の両端にあるものよりも幅が大きい構成である。
【００２０】
本発明の絶縁基体１はセラミックスや樹脂から成り、セラミックスからなる場合、例えば酸化アルミニウム質焼結体（アルミナセラミックス），窒化アルミニウム質焼結体，ムライト質焼結体，ガラスセラミックス質焼結体等のセラミックスから成る絶縁層を複数層積層してなる直方体状の箱状であり、この上面の中央部に発光素子３を収容するための凹部４が形成されている。
【００２１】
絶縁基体１が酸化アルミニウム質焼結体から成る場合、酸化アルミニウム，酸化珪素，酸化マグネシウム，酸化カルシウム等の原料粉末に適当な有機バインダー，溶剤等を添加混合して泥漿状となし、これを従来周知のドクターブレード法やカレンダーロール法等によりシート状に成形してセラミックグリーンシート（セラミック生シートで、以下、グリーンシートともいう）を得、しかる後、グリーンシートに凹部４用の貫通孔を打ち抜き加工で形成し、発光素子３を搭載するためのグリーンシートと凹部４用のグリーンシートとを複数枚積層し、高温（約１６００℃）で焼成し一体化することで形成される。
【００２２】
また、凹部４の底面には発光素子３を搭載するための導体層から成る搭載部２が形成されており、搭載部２はタングステン（Ｗ），モリブデン（Ｍｏ），銅（Ｃｕ），銀（Ａｇ）等の金属粉末のメタライズ層から成っている。
【００２３】
また、絶縁基体１は、搭載部２およびその周辺から絶縁基体１の側面に形成された側面導体層９ａ，９ｂに電気的に接続された配線層５ａ，５ｂが被着形成されている。配線層５ａ，５ｂは、ＷやＭｏ等の金属粉末のメタライズ層から成り、凹部４に収容する発光素子３を外部に電気的に接続するための導電路である。
そして、搭載部２には発光ダイオード（ＬＥＤ），半導体レーザ（ＬＤ）等の発光素子３が金（Ａｕ）−シリコン（Ｓｉ）合金やＡｇ−エポキシ樹脂等の導電性接合材により固着されるとともに、配線層５ｂには発光素子３の電極がボンディングワイヤ６を介して電気的に接続されている。また、発光素子３は搭載部２および配線層５ｂにフリップチップ実装により接続されても構わない。
【００２４】
配線層５ａ，５ｂは、例えばＷやＭｏ等の金属粉末に適当な有機溶剤、溶媒を添加混合して得た導体ペーストを絶縁基体１となるグリーンシートに予めスクリーン印刷法により所定パターンに印刷塗布しておくことによって、絶縁基体１の所定位置に被着形成される。
【００２５】
なお、配線層５ａ，５ｂおよび搭載部２の露出する表面に、ニッケル（Ｎｉ），金（Ａｕ），Ａｇ等の耐蝕性に優れる金属を１〜２０μｍ程度の厚みで被着させておくのがよく、配線層５ａ，５ｂおよび搭載部２が酸化腐蝕するのを有効に防止できるとともに、搭載部２と発光素子３との固着および配線層５ｂとボンディングワイヤ６との接合を強固にすることができる。従って、配線層５ａ，５ｂおよび搭載部２の露出表面には、厚さ１〜１０μｍ程度のＮｉめっき層と厚さ０．１〜３μｍ程度のＡｕめっき層またはＡｇめっき層とが、電解めっき法や無電解めっき法により順次被着されていることがより好ましい。
【００２６】
また、凹部４の内周面にはメタライズ金属層および発光素子３が発光する光に対する反射率が８０％以上であるめっき金属層を被着した金属層７が形成されていることが好ましい。この金属層７は、例えば、ＷやＭｏ等からなるメタライズ金属層上にＮｉ，Ａｕ，Ａｇ等のめっき金属層を被着させてなり、これにより発光素子３が発光する光に対する反射率を８０％以上とすることができる。発光素子３が発光する光に対する反射率が８０％未満であると、凹部４に収容された発光素子３が発光する光を良好に反射することが困難となる。
【００２７】
また、凹部４の内周面は、傾斜面となっているとともに凹部４の底面から絶縁基体１の上面に向けて３５〜７０°の角度で外側に広がっていることが好ましい。角度θが７０°を超えると、凹部４内に収容された発光素子３が発光する光を外部に対して良好に反射することが困難となる傾向にある。一方、角度θが３５°未満であると、凹部４の内周面をそのような角度で安定かつ効率良く形成することが困難となる傾向にあるとともに、パッケージが大型化してしまう。
【００２８】
また、凹部４の内周面の金属層７の表面の算術平均粗さはＲａは１〜３μｍが好ましい。１μｍ未満であると、凹部４内に収容された発光素子３が発光する光を均一に反射させることが難しくなり、反射する光の強さに偏りが発生し易くなる。３μｍを超えると、凹部４内に収容された発光素子３が発光する光が散乱し、反射光を高い反射率で外部に均一に放射することが困難になる。
【００２９】
また凹部４は、その横断面形状は円形状、楕円形状、長円形状、四角形状等の種々の形状とし得るが、円形状であることが好ましい。この場合、凹部４に収容された発光素子３が発光する光を、凹部４の内周面の金属層７表面のめっき層でパッケージの上方に満遍なく反射させて外部に極めて均一に放射することができるという利点がある。
【００３０】
また、絶縁基体１の４つの角部に上下方向に延びるように切欠き部８ａ〜８ｄが形成されており、切欠き部８ａ〜８ｄには、それぞれ搭載部２および配線層５ａ，５ｂと電気的に接続された側面導体層９ａ，９ｂが形成されている。そして、本発明においては、絶縁基体１の一側面の両端にある切欠き部８ａ，８ｂが他側面の両端にある切欠き部８ｃ，８ｄよりも幅が大きく形成されている。
【００３１】
これにより、切欠き部８ａ，８ｂを両端に有する一側面を外部電気回路基板の配線導体に載置し、半田等を介して接合することで、幅の大きい切欠き部８ａ，８ｂの側面導体層９ａ，９ｂと外部電気回路基板の配線導体との間に半田等の大きなメニスカスを形成して、半田等による接合面積を大きくでき、外部電気回路基板に強固に接合することができる。
【００３２】
これらの側面導体層９ａ，９ｂは、ＷやＭｏ等の金属粉末のメタライズ層から成り、凹部４に収容する発光素子３を外部に電気的に接続するための導電路である。側面導体層９ａ，９ｂが外部電気回路基板の配線導体に接続されることで、搭載部２および配線層５ａ，５ｂを介して発光素子３の各電極と電気的に接続され、発光素子３へ電力や駆動信号が供給される。
【００３３】
そして、側面導体層９ａ，９ｂは、ＷやＭｏ等の金属粉末に適当な有機溶剤、溶媒を添加混合して得た導体ペーストを絶縁基体１となるグリーンシートの切欠き部８ａ〜８ｄの位置にスクリーン印刷法により所定パターンに印刷塗布しておくことによって、切欠き部８ａ〜８ｄの所定位置に被着される。
【００３４】
また、側面導体層９ａ，９ｂの露出する表面に、Ｎｉ，Ａｕ，Ａｇ等の耐食性に優れる金属を１〜２０μｍ程度の厚みで被着させておくのが良く、側面導体層９ａ，９ｂが酸化腐食するのを有効に防止できるとともに、側面導体層９ａ，９ｂと外部電気回路回路基板の配線導体との接合を強固にすることができる。従って、側面導体層９ａ，９ｂの露出表面には、厚さ１〜１０μｍ程度のＮｉめっき層と厚さ０．１〜３μｍ程度のＡｕめっき層またはＡｇめっき層とが、電界めっき法や無電解めっき法により順次被着されていることがより好ましい。
【００３５】
そして、このような切欠き部８ａ〜８ｄが形成されたパッケージを製作する場合、例えば図１のパッケージを製作する場合について、図４に従って説明する。
セラミック層１ａ，１ｂを形成するためのグリーンシート１１ａ，１１ｂは、例えば絶縁基体１が酸化アルミニウム質焼結体（アルミナセラミックス）から成る場合、酸化アルミニウム，酸化珪素，酸化カルシウム，酸化マグネシウム等のセラミック原料粉末に適当な有機バインダー，溶剤，可塑剤，分散剤等を添加混合して泥漿状となし、これをドクターブレード法等のシート成形技術によって所定厚みのシート状とすることにより製作される。
【００３６】
次に、図４（ａ）に示すように、グリーンシート１１ａに凹部４を形成するための貫通孔１２を金型等で打ち抜いて形成し、グリーンシート１１ｂに配線層５ａ，５ｂを絶縁基体１の搭載部２から下面に導出させるための貫通孔を打ち抜いた後、グリーンシート１１ｂの貫通孔内またはその上下面に、配線層５ａ，５ｂおよび搭載部２を形成するための導体ペーストをスクリーン印刷法で所定パターンに印刷塗布する。
【００３７】
次に、図４（ｂ）に示すように、グリーンシート１１ａに長円形状の貫通孔１３ａを金型等で打ち抜いて形成した後、貫通孔１２の内面に金属層７を形成するための導体ペーストおよび貫通孔１３ａの内面に内面導体層１４ａを形成するための導体ペーストをそれぞれ所定パターンに印刷塗布する。同様に、グリーンシート１１ｂに長円形状の貫通孔１３ｂを金型等で打ち抜いて形成した後、貫通孔１３ｂの内面に内面導体層１４ｂを形成するための導体ペーストを所定パターンに印刷塗布する。
【００３８】
次に、図４（ｃ）に示すように、グリーンシート１１ａ，１１ｂを積層することで、貫通孔１３ａ，１３ｂおよび内面導体層１４ａ，１４ｂを重ねて成る貫通孔１３および内面導体層１４、凹部４が形成されたグリーンシート積層体１１が形成される。このグリーンシート積層体１１に、絶縁基体１となる領域を個々に区切るように行列状に並んだ複数の貫通孔１３および内面導体層１４を縦横に跨る分割線であって、切欠き部８ａ〜８ｄおよび側面導体層９ａ，９ｂを形成するための分割溝１５を、切欠き部８ａ〜８ｄが絶縁基体１の一側面にある切欠き部８ａ，８ｂが他方にある切欠き部８ｃ，８ｄよりも幅が大きくなるように形成する。その後、グリーンシート積層体１１およびこれに塗布された導体ペースト層を高温（約１６００℃程度）で焼成することによって、セラミック層１ａ，１ｂからなる焼結体を得、この焼結体の導電層の露出表面に電解めっき法や無電解めっき法によりニッケル，金，白金，パラジウム等のめっき金属層を被着し、これを分割溝１５に沿って個々に分割することによって、絶縁基体１の４つの角部に上下面間にわたって切欠き部８ａ〜８ｄおよび側面導体層９ａ，９ｂが形成され、縁基体１の一側面にある切欠き部８ａ，８ｂが他方にある切欠き部８ｃ，８ｄよりも幅が大きいパッケージが完成する（図４（ｄ））。
【００３９】
上記のような方法で製作することで、切欠き部８ａ〜８ｄおよび側面導体層９ａ，９ｂの形成と、載置部２、配線層５ａ，５ｂ、金属層７および側面導体層９ａ，９ｂへのめっき層の被着も一括的に行うことができ、簡便に製作することができる。
【００４０】
また、図４（ａ），（ｂ）の方法において、例えば、図４（ｂ）の工程を経た後に図４（ａ）の工程を行なっても良く、グリーンシート１１ａに貫通孔１２と貫通孔１３ａとを金型等で同時に打ち抜いて形成したり、グリーンシート１１ｂに配線層５ａ，５ｂを絶縁基体１の搭載部２から下面に導出させるための貫通孔と貫通孔１３ｂとを金型等で同時に打ち抜いて形成したりする方法でも良く、この場合も簡便に製作することができる。
【００４１】
また、側面導体層９の形成方法としては、グリーンシート１１ａ，１１ｂに貫通孔１３ａ，１３ｂをそれぞれ形成した後、貫通孔１３ａ，１３ｂに導体ペーストを充填させた後、貫通孔１３ａ，１３ｂに充填した導体ペーストの一部を金型等で打ち抜いたり、レーザ光等で打ち抜くことで側面導体層９を形成しても構わない。
【００４２】
また、グリーンシート１１ａ，１１ｂを積層し、グリーンシート積層体１１を形成した後に貫通孔１３を一括して打ち抜いて形成して側面導体層９ａ，９ｂを形成する方法を用いても構わない。
【００４３】
また、グリーンシート積層体１１に分割溝１５を形成せずに焼結し、焼結体の導電層の露出表面にめっき金属層を被着した後、スライシング法等を用いて分割して、パッケージとして完成させることもできる。
【００４４】
また、図５，図６は本発明のパッケージについて実施の形態の他の例を示すものであり、図５は、図１のＸ１−Ｘ１線における断面図であり、図６は、図１のＸ２−Ｘ２線における断面図である。図５，図６に示すように、配線層５ａ，５ｂは、凹部４の底面から絶縁基体１の下面に向けて絶縁基体１内部の途中まで導出され、そこから絶縁基体１の側面の切欠き部８ａ〜８ｄに延出されて側面導体層９ａ，９ｂに電気的に接続されていても良い。
【００４５】
また、図７，図８は本発明のパッケージについて実施の形態の他の例を示すものであり、図７はパッケージの正面図、図８は図７のＸ−Ｘ線における断面図である。これらの図に示すように、搭載部２および導体層５ａ，５ｂを凹部４の底面から絶縁基体１の側面に延出させて側面導体層９ａ，９ｂに電気的に接続しても良い。
【００４６】
また、図９に示すように、側面導体９ａ，９ｂと電気的に接続された配線層５ａ，５ｂを絶縁基体１の上面および／または下面に延出させても良い。
【００４７】
また、切欠き部８ａ〜８ｄは、セラミック層１ａ，１ｂにおいて横断面における幅や大きさが異なっていてもよく、またセラミック層１ａ，１ｂのどちらか一方に形成されていても良い。また、切欠き部８ａ〜８ｄは、セラミック層１ａ，１ｂに形成されて絶縁基体１の上下面間にわたって形成されていてもよい。図１０は、セラミック層１ｂのみに切欠き部８ａ〜８ｄを形成した例の断面図である。また、同図に示すように、切欠き部８ａ〜８ｄの底面に配線層５ａ，５ｂを延出させても良い。
【００４８】
また、図１においては、凹部４が絶縁基体１の上面に中央部に形成されて、凹部４と切欠き部８ａ，８ｂとの間の距離が凹部４と切欠き部８ｃ，８ｄとの間の距離と異なっているが、図１１に示すように、凹部４と切欠き部８ａ，８ｂとの間の距離が凹部４と切欠き部８ｃ，８ｄとの間の距離と同じになるようにしてもよい。この場合、多数個取り配線基板において凹部４を切欠き部８ａ〜８ｄとなる貫通孔同士の間の中間に形成し、切欠き部８ａ，８ｂの幅と切欠き部８ｃ，８ｄの幅とが異なるように分割することで、図１１のようにすることができる。
【００４９】
また、切欠き部８ａ〜８ｄとなる貫通孔１３は、開口形状が図４のような長円形状に限らず、円形状、楕円形状、四角形状であっても良く、図１２は四角形状の貫通孔１３から四角形状の切欠き部８ａ〜８ｄを形成した例である。
【００５０】
また、図１３は凹部４の横断面形状が円形状である場合の正面図である。
【００５１】
また、本発明の発光装置は、本発明の発光素子収納用パッケージと、凹部４に収容され搭載されるとともに配線層５ａ，５ｂに電気的に接続された発光素子３と、発光素子３を覆う透明樹脂とを具備している。
【００５２】
本発明の発光装置は、上記の構成により、外部電気回路基板の配線導体に強固に接合することができる信頼性の高いものとなる。
【００５３】
なお、本発明は上述の実施の形態に限定されるものではなく、本発明の要旨を逸脱しない範囲内で種々の変更を施すことは何等差し支えない。例えば、図１５のパッケージの断面図、図１５のパッケージのＸ１−Ｘ１線における断面図である図１６、図１５のパッケージのＸ２−Ｘ２線における断面図である図１７に示すように、搭載部２を導体層として形成せずに、発光素子３を凹部４の底面に直接搭載し、その周囲に発光素子３の電極と電気的に接続される配線層５ａ，５ｂを形成してもよい。この場合、発光素子３が搭載部２に搭載されるとともに、発光素子３の電極と配線層５ａ，５ｂとがボンディングワイヤ６ａ，６ｂ等を介して、電気的に接続されることとなる。
【００５４】
【発明の効果】
本発明の発光素子収納用パッケージは、絶縁基体の４つの角部に上下方向に延びるように形成された形成された切欠き部は、絶縁基体の一側面の両端にあるものが他側面の両端にあるものよりも幅が大きいことから、絶縁基体の幅の大きい切欠き部を両端に有する一側面を外部電気回路基板の配線導体に載置し、半田等を介して接合することで、幅の大きい切欠き部の側面導体層と外部電気回路基板の配線導体との間に半田等の大きなメニスカスを形成して、半田等による接合面積を大きくでき、外部電気回路基板に強固に接合することができる。
【００５５】
発明の発光装置は、本発明の発光素子収納用パッケージと、凹部に収容され搭載されるとともに配線層に電気的に接続された発光素子と、発光素子を覆う透明樹脂とを具備したことにより、外部電気回路基板の配線導体に強固に接合することができる信頼性の高いものとなる。
【図面の簡単な説明】
【図１】本発明の発光素子収納用パッケージについて実施の形態の一例を示す正面図である。
【図２】図１の発光素子収納用パッケージのＸ１−Ｘ１線における断面図である。
【図３】図１の発光素子収納用パッケージのＸ２−Ｘ２線における断面図である。
【図４】（ａ）〜（ｄ）は図１の発光素子収納用パッケージの各製造工程におけるセラミックグリーンシートの平面図および発光素子収納用パッケージの正面図である。
【図５】本発明の発光素子収納用パッケージについて実施の形態の他の例を示し、図１のＸ１−Ｘ１線における断面図である。
【図６】本発明の発光素子収納用パッケージについて実施の形態の他の例を示し、図１のＸ２−Ｘ２線における断面図である。
【図７】本発明の発光素子収納用パッケージについて実施の形態の他の例を示す正面図である。
【図８】図７の発光素子収納用パッケージのＸ−Ｘ線における断面図である。
【図９】本発明の発光素子収納用パッケージについて実施の形態の他の例を示し、図７のＸ−Ｘ線における断面図である。
【図１０】本発明の発光素子収納用パッケージについて実施の形態の他の例を示し、図７のＸ−Ｘ線における断面図である。
【図１１】本発明の発光素子収納用パッケージについて実施の形態の他の例を示す正面図である。
【図１２】本発明の発光素子収納用パッケージについて実施の形態の他の例を示す正面図である。
【図１３】本発明の発光素子収納用パッケージについて実施の形態の他の例を示す正面図である。
【図１４】従来の発光素子収納用パッケージの断面図である。
【図１５】本発明の発光素子収納用パッケージについて実施の形態の他の例を示す正面図である。
【図１６】図１５の発光素子収納用パッケージのＸ１−Ｘ１線における断面図である。
【図１７】図１５の発光素子収納用パッケージのＸ２−Ｘ２線における断面図である。
【符号の説明】
１：絶縁基体
２：搭載部
３：発光素子
４：凹部
５ａ，５ｂ：配線層
８ａ〜８ｄ：切欠き部
９ａ，９ｂ：側面導体層
【図１】
2004281994.tif 000003
【図２】
2004281994.tif 000004
【図３】
2004281994.tif 000005
【図４】
2004281994.tif 000006
【図５】
2004281994.tif 000007
【図６】
2004281994.tif 000008
【図７】
2004281994.tif 000009
【図８】
2004281994.tif 000010
【図９】
2004281994.tif 000011
【図１０】
2004281994.tif 000012
【図１１】
2004281994.tif 000013
【図１２】
2004281994.tif 000014
【図１３】
2004281994.tif 000015
【図１４】
2004281994.tif 000016
【図１５】
2004281994.tif 000017
【図１６】
2004281994.tif 000018
【図１７】
2004281994.tif 000019